(57)【要約】【課題】室内の大気を浄化するとともにオゾン水を生成することのできる浄化装置を提供する。【解決手段】オゾンを発生させてオゾン及び空気の混合気を作出するオゾン発生部１２４と、この混合気をホース３０等を介して容器２０内の水中に放出し、オゾン水を生成することのできる第一の放出部１１５と、この混合気を大気中に排出し、室内の大気等を浄化することのできる第二の放出部口１１４と、オゾン送通経路を前記第一の放出部１１５と前記第二の放出部１１４とに切替える切替手段１２５と、この切替手段１２５を手動で操作可能な手動操作部５０とを備える浄化装置１。【選択図】図３
0003122513.tif 000002
【実用新案登録請求の範囲】
【請求項１】
オゾンを発生させるオゾン発生部と、
ホースが接続可能な排気口を有して、前記オゾン発生部で発生したオゾンを該排気口から放出する第一の放出部と、
前記オゾン発生部で発生したオゾンを大気中に排出する第二の放出部と、
オゾンの送通経路を、前記オゾン発生部から前記第一の放出部に導く状態と前記第二の放出部に導く状態とに切替える切替手段と、
手動による操作によって前記切替手段を切替作動させる手動操作部とを備えた
ことを特徴とする浄化装置。
【請求項２】
前記第一の放出部の排気口に一端が接続されるとともに、他端にエアストーンを有するホースを備え、該ホースのエアストーンから水中にオゾンを放出可能とした請求項１記載の浄化装置。
【請求項３】
前記オゾン発生部に導入される空気を除湿する除湿部と、
前記オゾンの発生を行わないときに加熱されて、前記除湿部内の湿気を除去する加熱部と、
該除湿部から導入される空気中で放電してオゾンを発生させることを可能にする放電部と、
前記第二の放出部に設けられて前記オゾンの排出を補助する送風部とを備えた
ことを特徴とする請求項１または２記載の浄化装置。
【考案の詳細な説明】
【技術分野】
【０００１】
本考案は、オゾンを発生させ、このオゾンを用いて室内等を浄化する浄化装置に関するものである。
【背景技術】
【０００２】
オゾンは強い殺菌作用、滅菌作用および脱臭作用を有しており、特にオゾンを溶解したオゾン水は殺菌効果が大きく、種々の用途で利用されている。
【０００３】
このオゾンの殺菌作用を利用したものとして、例えば、特許文献１には飲食業の厨房等で用いられて排水や室内の大気を殺菌及び殺虫するための浄化装置が開示されている。この浄化装置は、オゾンを発生させて、このオゾンを含ませた空気をグリストラップと称する油分離器に送り込み微生物や昆虫等を殺菌及び殺虫してこのグリストラップを浄化するとともに、その後、前記オゾンを自動的に大気中に排出して室内を浄化するというものである。
【特許文献１】特開平２００５−２４６３５４号公報
【考案の開示】
【考案が解決しようとする課題】
【０００４】
前記浄化装置は、前記グリストラップを浄化するための装置であるが、室内の大気を浄化する浄化装置を用いて簡易にオゾン水の生成を行うことができれば、そのオゾン水を種々の用途に利用でき便利である。
【０００５】
本考案は前記の点に鑑みてなされたものであり、室内の大気を浄化するとともに、種々の用途に利用可能なオゾン水を生成可能な浄化装置を提供することを目的とする。
【課題を解決するための手段】
【０００６】
前記課題を解決するために本考案は、オゾンを発生させるオゾン発生部と、ホースが接続可能な排気口を有して、前記オゾン発生部で発生したオゾンを該排気口から放出する第一の放出部と、前記オゾン発生部で発生したオゾンを大気中に排出する第二の放出部と、オゾンの送通経路を、前記オゾン発生部から前記第一の放出部に導く状態と前記第二の放出部に導く状態とに切替える切替手段と、手動による操作によって前記切替手段を切替作動させる手動操作部とを備えたことを特徴とする浄化装置浄化装置を提供する。
【０００７】
このような構成によれば、第一の放出部からホースを介して水中へオゾンを放出することができ、オゾン水を簡易に生成することができる。また、手動操作部により使用者がオゾンの放出状態、すなわち、前記のようにオゾン水を生成する状態と大気中にオゾンを排出して室内の大気を浄化する状態とを自由に選択することができる。
【０００８】
また本考案において、前記第一の放出部の排気口に一端が接続されるとともに、他端にエアストーンを有するホースを備え、該ホースのエアストーンから水中にオゾンを放出可能であることが好ましい。
【０００９】
このようにエアストーンを用いれば、オゾンの水への溶解が促進されるのでオゾン水の生成を良好に実施することができる。
【００１０】
また本考案において、前記オゾン発生部に導入される空気を除湿する除湿部と、前記オゾンの発生を行わないときに加熱されて、前記除湿部内の湿気を除去する加熱部と、該除湿部から導入される空気中で放電してオゾンを発生させることを可能にする放電部と、前記第二の放出部に設けられて前記オゾンの排出を補助する送風部とを備えるのが好ましい。
【００１１】
このような構成によれば、オゾンを発生させない時間に加熱器を加熱して湿気を効率よく除去することができる。また、この湿気が除去された後の空気に放電を行うため、放電部が保護され浄化装置の耐久性を向上させることができる。また送風部を設けることでオゾンの放出をより確実に行うことができる。
【考案の効果】
【００１２】
以上のように、本考案によればオゾンによって室内の大気を浄化するとともにオゾン水の生成も可能な浄化装置を提供することができる。
【考案を実施するための最良の形態】
【００１３】
本考案の実施の形態につき、図１〜図５を用いて説明する。図１に示すとおり、浄化装置１は、オゾンを発生させる装置本体１０と、水が充填されたバケツ等の容器２０に装置本体１０で発生させたオゾンを含む空気を放出する放出管３０（ホース）と、オゾンの送通経路を切替える切替えスイッチ（手動操作部）５０とを備えている。
【００１４】
装置本体１０は、図２に示すとおり、その正面には、電源スイッチ１１１と、タイマー１１２と、オゾンを発生させた累計時間を計測するカウンター１１３と、装置本体１０で発生させたオゾンを室内の大気中に排出する正面排気口１１４（第二の放出部）とを有している。また、側面には、装置本体１０で発生させたオゾンを放出管３０を介して容器２０内の水中に排出する側面排気口１１５（第一の放出部）を有し、裏面には、装置本体１０内部に気体を吸気するための吸気口１１６（図３参照）を有している。
【００１５】
さらに、装置本体１０の内部には、図３に示すとおり、活性炭フィルター１２１と、活性炭フィルター１２１の下流側に配置されているポンプ１２２と、ポンプ１２２から吸入された空気を除湿するための除湿部１２３と、オゾンを発生させるオゾナイザー１２４（オゾン発生部）と、オゾナイザー１２４から排出されたオゾンを含んだ空気の流れを切替える電磁弁１２５（切替手段）と、前記オゾンを含んだ空気を正面排気口１１４から排出するのを補助する送風機１２６（送風部）と、既述の切替えスイッチ５０とを備えている。
【００１６】
切替えスイッチ５０は、使用者が手動で容易に操作可能なスイッチで、そのオン／オフの切替えにより前記電磁弁１２５の開閉状態が決定される。また、切替えスイッチ５０の内部には、電磁弁１２５の開閉状態が判別できるようにランプ５１が設けられている。例えば電磁弁１２５が開の状態で空気が側面排気口１１５から排出される場合に点灯し、電磁弁１２５が閉の状態で空気が正面排気口１１４から排出される場合に消灯するように設定されている。
【００１７】
活性炭フィルター１２１は、吸気口１１６付近に配置され、吸気口１１６から吸入される空気と接触することにより、この空気に含まれるオゾンを除去する。
【００１８】
ポンプ１２２は、バキュームポンプであって、このポンプ１２２を作動させることにより吸気口１１６から装置本体１０内部に空気を吸入する。
【００１９】
除湿部１２３は、その内部に吸湿材を備え、この吸湿材が空気中の水分を吸収することによりオゾナイザー１２４内に導入される空気の湿気を除去する。さらに、除湿部１２３の内部には、ヒーター１２７が設けられており、このヒーター１２７を作動させることにより吸湿材を乾燥させ、前記吸湿材の湿気を除去することが可能となっている。
【００２０】
オゾナイザー１２４は、除湿部１２３から導入された空気中に放電を行う放電部１２８を備え、この放電部１２８で放電を行うことによりオゾンを発生させる。
【００２１】
電磁弁１２５は、オゾナイザー１２４より下流側に設置され、この電磁弁１２５を作動させることにより、オゾナイザー１２４で発生させたオゾンを含む空気を正面排気口１１４から放出させるか、側面排気口１１５から放出させるかを切替えることが可能となっている。例えば、切替えスイッチ５０がオンになっているときには電磁弁１２５を開とし、オゾナイザー１２４と側面排気口１１５とを連通して前記空気を側面排気口１１５側に放出させ、切替えスイッチ５０がオフになっているときには、電磁弁１２５を閉とし、オゾナイザー１２４と正面排気口１１４とを連通して前記空気を正面排気口１１４側に放出させるように構成されている。
【００２２】
送風機１２６は、正面排気口１１４付近に設置され、この送風機１２６を作動させることにより、正面排気口１１４から前記オゾンを含んだ空気を排出することを補助する。
【００２３】
放出管３０は、その先端にエアストーン３１が接続されて、容器２０内の水中に入れられている。
【００２４】
以上の構成によれば、図３に示すとおり、ポンプ１２２により吸気口１１６から装置本体１０内に吸入された空気は、活性炭フィルター１２１、ポンプ１２２、除湿部１２３、オゾナイザー１２４を経てオゾンを含む空気となる。さらに、切替えスイッチ５０の操作に基づいて電磁弁１２５が駆動され、このオゾンを含む空気が正面排気口１１４から放出されるか側面排気口１１５から放出されるかが切替えられる。正面排気口１１４から排出される場合においては、送風機１２６を経た後にこの正面排気口１１４から前記オゾンを含む空気が大気中に放出され、側面排気口１１５から排出される場合においては、放出管３０およびエアストーン３１を経て容器２０内の水中に前記オゾンを含む空気が放出されオゾン水が生成される。
【００２５】
次に、図４を用いてこの浄化装置１の配線状況について説明する。
【００２６】
電源Ｖｓは、交流電源であり、この電源Ｖｓの端子間に電源スイッチ１１１と、第一スイッチＳＷ１と、第二スイッチＳＷ２と、放電部１２８とが直列に繋がった回路が接続されている。
【００２７】
また、第二スイッチＳＷ２及び放電部１２８と並列に、ヒータースイッチＳＷ４とヒーター１２７とが直列に繋がった回路、ポンプ１２２が配置された回路、及び、送風機１２６が配置された回路が接続されている。
【００２８】
さらに放電部１２８と並列にカウンター１１３が接続され、放電部１２８の作動時間、すなわちオゾナイザー１２４の作動時間の累計を計測できるようになっている。また、放電部１２８と並列に切替えスイッチＳＷ３と電磁弁１２５とが直列につながった回路が接続されている。さらに電磁弁１２５と並列にランプ５１が接続されている。
【００２９】
次に、図５を用いてこの浄化装置１の動作につき説明する。
【００３０】
まず、電源スイッチ１１１をオンにし、切替えスイッチＳＷ３をオンまたはオフに切替え、タイマー１１２等により、オゾン放出終了時間Ｔ１および浄化装置停止時間Ｔ２を設定する。このとき、第一スイッチＳＷ１と第二スイッチＳＷ２がオンとなっており、ヒータースイッチＳＷ４がオフとなっている。
【００３１】
この状態においては、放電部１２８、カウンター１１３、ポンプ１２２、送風機１２６が作動する。ここで切替えスイッチＳＷ３がオンの場合には電磁弁１２５が開側に作動する。すなわち、ポンプ１２２を介して吸気口１１６から装置本体１０内部に空気が供給され、この空気を利用してオゾナイザー１２４内の放電部１２８でオゾンが発生し、このオゾンを含む空気が、電磁弁１２５、側面排気口１１５、放出管３０、エアストーン３１を経て容器２０内の水中に排出される。
【００３２】
動作開始からＴ１の時間が経過すると、第二スイッチＳＷ２がオフとなるとともにヒータースイッチＳＷ４がオンとなる。これに伴い、電磁弁１２５と放電部１２８とカウンター１１３の動作が停止されるとともに、ヒーター１２７が加熱される。すなわち、ヒーター１２７によって、除湿部１２３内の吸湿材に含まれる水分が蒸発し、この蒸発した水分は、ポンプ１２２を介して装置本体１０内部に供給された空気により、オゾナイザー１２４、電磁弁１２５、送風機１２６を介して正面排気口１１４から排出される。これによって、除湿部１２３内の吸湿材の湿気を除去し、前記吸湿材の吸湿能力を回復させる。またさらに、この場合には、オゾナイザー１２４内でオゾンが発生されず、しかも、活性炭フィルター１２１によって吸気口１１６から吸気される空気中に含まれるオゾンが分解されるため、室内に含まれるオゾンを分解することを促進することになる。
【００３３】
さらに、動作開始からＴ２の時間が経過すると、第一スイッチＳＷ１及びヒータースイッチＳＷ４がオフとなり、ポンプ１２２及び送風機１２６の動作が停止されるとともに、ヒーター１２７の加熱も停止する。
【００３４】
ここで、前記実施形態では、前記切替えスイッチＳＷ３をオンとして側面排気口１１５よりオゾンを含む空気が排出される場合について示したが、前記切替えスイッチＳＷ３をオフとしておけば、動作開始からＴ１の時間が経過するまでの間、前記オゾンを含む空気は正面排気口１１４から排出されることとなる。
【００３５】
以上の構成によれば、正面排気口１１４から大気中へオゾンを放出し室内の大気を浄化するとともに、側面排気口１１５から容器２０内の水中へオゾンを放出しオゾン水を生成することができる。また、切替えスイッチＳＷ３の操作によって、オゾンの送通経路を適宜切替えることができる。したがって、用途に応じた柔軟な対応ができ、より効率よく浄化効果を得ることができるとともに使い勝手が向上する。さらに、手動によって切替え操作を行うことでその操作部分の構造を簡易化することができる。
【００３６】
また、オゾナイザー１２４内に導入される空気は、除湿部１２３で予め湿気が除去されているため、オゾンを発生させるために放電部１２８を作動させたときに、空気中に含まれる水分によって、この放電部１２８を痛めることを阻止できる。したがって、この浄化装置１の耐久性を向上させることが可能となる。
【００３７】
なお、除湿部１２３内の吸湿材は、空気中の水分を吸収するに伴いその除湿機能は低下していくが、本実施形態の構成によれば、ヒーター１２７を加熱して前記吸湿材の湿気を除去することができるため、除湿部１２３における除湿機能が低下することを阻止することができる。
【００３８】
また、ヒーター１２７の加熱は、オゾナイザー１２４内でオゾンを発生させないときに行うため、除湿部１２３内の除湿をオゾンを発生させない時間を用いて行うことが出来、より効率よくこの除湿部１２３内の除湿を行うことが出来る。
【図面の簡単な説明】
【００３９】
【図１】本考案の浄化装置の一実施形態にかかる概略を示した側面図である。
【図２】本考案の浄化装置の一実施形態にかかる装置本体の概略を示した正面図である。
【図３】本考案の浄化装置の一実施形態にかかるブロック図である。
【図４】本考案の浄化装置の一実施形態にかかる配線図である。
【図５】本考案の浄化装置の一実施形態にかかるタイムチャートである。
【符号の説明】
【００４０】
１      浄化装置
２０    容器
３０    放出管（第一の放出部）
３１    エアストーン
５０    切替えスイッチ（手動操作部）
１１４  正面排気口（第二の放出部）
１１５  側面排気口（第一の放出部）
１２３  除湿部
１２４  オゾナイザー（オゾン発生部）
１２５  電磁弁（切替手段）
１２６  送風機（送風部）
１２７  ヒーター（加熱器）
１２８  放電部
【図１】
0003122513.tif 000003
【図２】
0003122513.tif 000004
【図３】
0003122513.tif 000005
【図４】
0003122513.tif 000006
【図５】
0003122513.tif 000007